(57)【要約】【課題】漢方薬データベースを応用する健康診断分析設備を提供する。【解決手段】漢方薬データベースを応用する健康診断分析設備１は少なくとも１個の発射／受信モジュール１０、コントロールモジュール１１及びディスプレイ１２からなる。発射／受信モジュール１０は被験者の頭部と連接し、コントロールモジュール１１の駆動を受けて、発射周波数を発射し、反射周波数をコントロールモジュール１１にフィードバックする。コントロールモジュール１１は演算モジュール１３及び漢方薬データベース１４からなる。コントロールモジュール１１が反射周波数を受信すると、演算モジュール１３により発射周波数と反射周波数を演算後、テストデータを生じ、演算モジュール１３は、テストデータと漢方薬データベース１４の内部資料とを比較分析し、適した漢方薬処方を選出する。ディスプレイ１２は、適した漢方薬処方を表示し、被験者に知らせ、及び服用に供し、しかも被験者の検査情報を表示でき、しかも誤診状況が発生することはない。【選択図】図１
0003207610.tif 000002
【実用新案登録請求の範囲】
【請求項１】
漢方薬データベースを応用する健康診断分析設備であって、少なくとも１個の発射／受信モジュール、コントロールモジュール及びディスプレイからなり、
前記発射／受信モジュールは、被験者の頭部と連接し、前記コントロールモジュールの駆動を受けて、発射周波数を発射し、反射周波数を前記コントロールモジュールにフィードバックし、
前記コントロールモジュールは、演算モジュール及び漢方薬データベースからなり、
前記コントロールモジュールが前記反射周波数を受信すると、前記演算モジュールにより前記発射周波数と前記反射周波数を演算後、テストデータを生じ、前記演算モジュールは、前記テストデータと前記漢方薬データベース内部資料とを比較分析し、適した漢方薬を選出し、
前記ディスプレイは、適した漢方薬処方を表示し、前記被験者に知らせ、及び服用に供し、しかも前記被験者の検査情報を表示できることを特徴とする漢方薬データベースを応用する健康診断分析設備。
【請求項２】
前記漢方薬処方は、漢方薬材であることを特徴とする請求項１に記載の漢方薬データベースを応用する健康診断分析設備。
【請求項３】
前記漢方薬処方は、漢方薬製剤であることを特徴とする請求項１に記載の漢方薬データベースを応用する健康診断分析設備。
【請求項４】
前記検査情報は、被験者のすべての臓器の構造図であることを特徴とする請求項１或いは２或いは３に記載の漢方薬データベースを応用する健康診断分析設備。
【請求項５】
前記発射／受信モジュールは、センサーであることを特徴とする請求項４に記載の漢方薬データベースを応用する健康診断分析設備。
【請求項６】
前記コントロールモジュールは、ノートパソコンであることを特徴とする請求項４に記載の漢方薬データベースを応用する健康診断分析設備。
【請求項７】
前記コントロールモジュールは、デスクトップパソコンであることを特徴とする請求項４に記載の漢方薬データベースを応用する健康診断分析設備。
【考案の詳細な説明】
【技術分野】
【０００１】
本考案は漢方薬データベースを応用する健康診断分析設備に関し、人体周波数を診断及び分析し、漢方薬データベースに対応して比較分析でき、被験者に服用に適した漢方薬処方を提案し、しかも誤診状況の発生を回避できる漢方薬データベースを応用する健康診断分析設備に関する。
【背景技術】
【０００２】
漢方医は、人体には微妙な分布システムがあり、「気」「血」等の微量物質の輸送を担っていると考える。
この輸送経路は、人体経絡システムと呼ばれ、臓器と肢体とをつなぐ気血運行の通路となる。
大きなものは経脈で、経脈の分支が絡脈である。
漢方医は、人体の各臓器は周波数を有し、その周波数がバランスを崩すと、その臓器に問題が起きるとも考える。
一方、西洋医は予防が治療に勝ると提唱し、定期的な健康診断を呼びかけており、健康診断により個人の健康状態を把握し、早期の症状或いは危険因子を発見し、早めの治療につなげることができる。
【０００３】
一般の健康診断では、臓器にすでに変化が生じていないかどうかを検査できるだけで、臓器に変化が生じる前に予防することはできない。
そのため、しばしば病気になってから初めて医師の協力と治療を仰ぐことになり、もとの健康状態を取り戻せないことも多く、さらには後遺症が残り、生活機能が失われることもある。
【０００４】
こうして、予防医学は人々に重視されるようになっている。
予防医学は、特定グループ或いは一般市民の健康の維持、促進に重点を置くものである。
予防医学は主に、健康の促進及び疾病の予防を含むが、健康の促進には、生活形態、生活環境及び医療体系による。
疾病の予防では、人体に疾病が生じる前に、健康に対する危険因子に対して評価及び改善を行い、疾病の進展を制限する。
しかし、漢方医が診察する際、一般の漢方医は脈を診ることと問診をすることにより診察するため、誤診状況の発生を避けることはできない。
【０００５】
前記先行技術には、一般に漢方医は脈を診ることと問診をすることにより診察するため、誤診状況の発生を避けることはできないという欠点がある。
【考案の概要】
【考案が解決しようとする課題】
【０００６】
本考案の目的は、人体周波数を診断及び分析し、漢方薬データベースに対応して比較分析でき、被験者に服用に適した漢方薬処方を提案し、しかも誤診状況の発生を回避できる漢方薬データベースを提供する。
【課題を解決するための手段】
【０００７】
本考案による健康診断分析設備は、少なくとも１個の発射／受信モジュール、コントロールモジュール及びディスプレイからなる。
該発射／受信モジュールは被験者の頭部と連接し、該コントロールモジュールの駆動を受けて、発射周波数を発射し、反射周波数を該コントロールモジュールにフィードバックする。
該コントロールモジュールは、演算モジュール及び漢方薬データベースからなる。
該コントロールモジュールが該反射周波数を受信すると、該演算モジュールにより該発射周波数と該反射周波数を演算後、テストデータを生じ、該演算モジュールは、該テストデータと該漢方薬データベースの内部資料とを比較分析し、適した漢方薬処方を選出する。
該ディスプレイは、適した漢方薬処方を表示し、該被験者に知らせ、及び服用に供し、しかも該被験者の検査情報を表示でき、しかも誤診状況が発生することはない。
【０００８】
該漢方薬処方は、漢方薬材或いは漢方薬製剤である。
【０００９】
該検査情報は、被験者のすべての臓器の構造図である。
【００１０】
該コントロールモジュールは、ノートパソコン或いはデスクトップパソコンである。
【００１１】
該漢方薬データベースを応用する健康診断分析設備の該発射／受信モジュールは、センサーである。
【考案の効果】
【００１２】
本考案は、人体周波数を診断及び分析し、漢方薬データベースに対応して比較分析でき、被験者に服用に適した漢方薬処方を提案し、しかも誤診状況の発生を回避できる。
【図面の簡単な説明】
【００１３】
【図１】本考案実施形態の回路構造ブロックチャートである。
【図２】本考案実施形態の使用フローチャートである。
【考案を実施するための形態】
【００１４】
図１に示す通り、本考案の健康診断分析設備１は、少なくとも１個の発射／受信モジュール１０、コントロールモジュール１１及びディスプレイ１２からなる。
【００１５】
発射／受信モジュール１０は、センサーで、被験者の頭部と連接し、コントロールモジュール１１の駆動を受け発射周波数を発射し、反射周波数をコントロールモジュール１１にフィードバックする。
【００１６】
コントロールモジュール１１は、演算モジュール１３及び漢方薬データベース１４からなる。
コントロールモジュール１１は、反射周波数を受信し、演算モジュール１３により発射周波数と反射周波数とを演算後、テストデータを生じ、演算モジュール１３は、テストデータと漢方薬データベース１４の内部資料とを、比較分析後、適した漢方薬処方を選出し、被験者の服用に供する。
【００１７】
ディスプレイ１２は、適した漢方薬処方を表示し、被験者に知らせ、及び服用に供し、しかも被験者の検査情報を表示できる。
検査情報は、被験者のすべての臓器の構造図である。
【００１８】
漢方薬処方は、漢方薬材である。
漢方薬材は、温性薬材、熱性薬材、寒性薬材、涼性薬材及び平性薬材を含む。
温性薬材は、杜仲、大棗、当帰、五味子、黄耆等を含む。
熱性薬材は、乾薑、肉桂、炮附子、巴戟天等を含む。
寒性薬材は、金銀花、大黄、黄柏、黄連等を含む。
涼性薬材は、菊花、▲イー▼苡仁、薄荷等を含む。
平性薬材は、▲チェン▼実、決明子、蓮子、山薬、霊芝、粉光、黨蔘等を含む。
【００１９】
漢方薬処方は、漢方薬製剤である。
漢方薬製剤は、現代的な製造方法を利用する。
水で煮て抽出して濃縮後、一定割合の処方薬材生薬を粉末、乳糖、結晶性繊維、カルボキシメチルセルロース及びでんぷん等を賦形剤とし、顆粒、細粒、錠剤、カプセル等の多種使用方式とした漢方薬製品である。
【００２０】
検査情報は、被験者のすべての臓器の構造図である。
コントロールモジュールは、ノートパソコン或いはデスクトップパソコンである。
【００２１】
図１、図２に示す通り、使用時には、発射／受信モジュール１０と被験者の頭部とを連接し、コントロールモジュール１１により発射／受信モジュール１０を駆動し、発射周波数を被験者の頭部へと発射する。
これにより、被験者の頭部は、発射／受信モジュール１０を経て、反射周波数をコントロールモジュール１１にフィードバックする。
コントロールモジュール１１は、反射周波数を受信し、演算モジュール１３により発射周波数と反射周波数とを演算後、テストデータを生じる。
演算モジュール１３は、テストデータと漢方薬データベース１４の内部資料とを比較分析し、適した漢方薬処方を選出し、被験者の服用に供し、選出された漢方薬処方をディスプレイ１２上に表示し、被験者は服用の参考にすることができる。
【００２２】
本考案は、以下のような長所と効果を備える。
１．被験者に対して分析を行う際に、人体に害が及ぶことはない。
２．伝統的な脈を診る方式で症状に対して処方しなくともよく、しかも誤診の状況は発生しない。
３．単一の作業プログラムで、神経システム、心血管システム、消化システム、筋肉骨格システム、呼吸システム、内分泌システム、泌尿システム、生殖システム及び皮膚等を含む全システムの健康診断を完成でき、しかも検査漏れの状況は発生しない。
【００２３】
前述した本考案の実施形態は本考案を限定するものではなく、よって、本考案により保護される範囲は後述される実用新案登録請求の範囲を基準とする。
【符号の説明】
【００２４】
１  健康診断分析設備
１０  発射／受信モジュール
１１  コントロールモジュール
１２  ディスプレイ
１３  演算モジュール
１４  漢方薬データベース
【図１】
0003207610.tif 000003
【図２】
0003207610.tif 000004